(57)【要約】【目的】常時手袋を使用している職業人、或いは冬期手袋を使用する地方の人々が、その都度、内部に指を入れなくとも、また手袋を脱がなくとも容易に収納物品が取出せるホルダーケースを提供するものである。【構成】物品をを収納して携行するホルダーケースにおいて、該ケースの正面部１の内面壁適宜所に端部を一体的に取付けるとともに、他端部に蓋部２を取付けたスライド帯１３を、背面部６の内面壁に備えられたにガイド１４に挿通し、引出し移動自在に設けたことを特徴としている。  また、背面部の外面に袋部を設けるとともに、該袋部に、少なくとも上下の一方端部が着脱自在なバンドを設けている。【選択図】  図４
2005199010.tif 000002
【特許請求の範囲】
【請求項１】
携帯電話や折りたたみナイフ、懐中電灯といった物品を収納して携行するホルダーケースにおいて、該ケースの正面部１の内面壁適宜所に端部を取付けるとともに、他端部に蓋部２を設けたスライド帯１３を、背面部６の内面壁に備えられたにガイド１４に挿通し、引出し移動自在に設けたことを特徴とするホルダーケース。
【請求項２】
背面外方に袋部８を設けるとともに、該袋部の外方面に、上下何れか一方か或いは両端部が着脱自在なバンド７を設けた請求項１記載のホルダーケース。
【発明の詳細な説明】
【発明の詳細な説明】
【技術分野】
【０００１】  本発明は携帯電話や折りたたみナイフ、或いは懐中電灯といった物品を収納して携行するホルダーホルダーケースに関するものである。
内、例えば携帯電話用のケースは、多種多様の物が販売されており需要者の選択肢は多い。しかしながら、それらの多くは意匠的面の要素が強く、特に、機能的面が要求される屋外作業者或いは積雪地方に適したものは見当たらない。
【背景技術】
【０００２】  これらの物品を収納携行するためのホルダーケースにおいて、従来品のほとんどの機種は、単に収納するに適した大きさや、携行するに託する着脱の利便性を追求したものであった。
したがってこれらの物は、所謂ファション性を追求したもので、屋外で或いは高所で、又は寒冷地で、常時手袋を使用して作業する人達が求める機能性を備えた物ではなかった。
つまり、その都度、ケースに手を突っ込んだり或いは手袋を脱がなくとも収納物を容易に取出したり、収納できるようなケースが求められていた。この事は常時手袋を使用している職業の人や寒冷地の人々にとってはとても重要なことである。
【発明が解決しようとする課題】
【０００３】  本発明は以上の要求に応えるためになされたもので、外形は従来品と何ら変り無く意匠的要素を備えながら、手袋を常時使用している職業人や、寒冷地の人々がその都度、手袋を脱がなくとも容易に収納物を取出したり、収納したりできるホルダーケースを提供するものである。
【課題を解決するための手段】
【０００４】  本発明は前記目的を達成するため、物品を収納して携行するホルダーケースにおいて、該ケース正面部の内面壁適宜所に端部を取付けるとともに、他端部に蓋部を設けたスライド帯を、背面部の内面壁に備えられたにガイドに挿通し、引出し移動自在に設けたことを特徴としている。
【０００５】  また、背面外方に袋部を設けるとともに、該袋部の外方面に、片端か或いは両端が着脱自在なバンドを設けて課題を解決するための手段としている。
【作用】
【０００６】  本発明は、以上のような構成を有するホルダーケースを提供するものである。
したがって、ケースの蓋部を開け、該蓋部を引けば、蓋部と一体的なスライド帯が引かれ、この帯に載置された状態を呈して収納されている物品は浮き上げられ、ケースから頭部をあらわすこととなる。
一方収納するときは、通常のケースに収めるように、収納部に物品を押込めればスライド帯は下げられ、それに伴なって蓋部も図３の状態に戻ることとなる。
【発明を実施するための最良の形態】
【０００７】  本発明は、ここで実施例を説明する携帯電話用や上記記載の物品用ホルダーケースのみに限定されるもので無く、例えばランドセルやかばん等収納した内容物を浮き上らせて、取り出しを容易にするものであれば多用途に利用できる発明でもある。
以下に本発明の実施の形態について図面を参照して説明する。
図１は、本発明を携帯電話用に実施したホルダーケース正面部の説明図で、図２はその背面部の説明図、図３は蓋部を開いたときの状態を示す説明図で、図４は図３の状態から蓋部を図中矢印方向に引いた状態を示し、図５は内部を一部断面で示す説明図である。以下順にその実施の形態につき詳細に説明する。【０００８】  図１図２及び図３による本発明実施に係る携帯電話用ケースの外形的な全体構成は、正面部１、背面部６、側面部３及び蓋部２とで収納部４を形成し、蓋部２は、その裏面に設けた面ファスナー１１と正面部１表面に設けられた面ファスナー１２とで、開閉自在となっている。図中符号５のスナップは意匠的効果を意識して設けられたものである。【０００９】  背面部６には袋部８を有し、該袋部外面には、上端に吊輪１０を備えると共に、下端がスナップ９で着脱自在なバンド７が設けられ（ここでは長手方向中央部に）ている。このバンド７は、携行者のベルトに取付けられるためのもので、この実施例では、上端が固定され下端が着脱自在な実施例で図示されているが、図示のものと逆であったり、或いは上下両端がともに着脱自在であったり、またはベルトを短手方向に設けても本発明の実施例となる。【００１０】  図３において、蓋部２の開放によって、該蓋部２と一体的なスライド帯１３が図中矢印方向に引出し自在となっていることを示している。尚、図中符号１１，１２で示されている部材はそれぞれ面ファスナーで、前記説明のように、蓋部２を正面部１に着脱自在に係止固定する役目を果たすものである。【００１１】  図４及び図５では、本発明の重要な部材であるスライド帯１３とガイド１４とを主として説明するもので、スライド帯１３は、片端部は正面部１内面壁の適宜所に、他端部は蓋部２にそれぞれ取付けられていて、背面部３の内面壁に備えられたガイド１４を挿通している。
つまり、携帯電話はこのスライド帯に載置される容で収納されるものである。
したがって、該帯は、一定の幅（２５ｍｍから３５ｍｍ程度が最適である。）を有していることが望ましく、この帯が移動自在に挿通されるガイド体１４とは、円滑な移動（スライド）ができる状態で設けられる。
このことで、蓋部を図中矢印方向に引いた時、納められている携帯電話が抵抗無く、ごく自然に持上げられ、収納部から姿をあらわすこととなる。
【発明の効果】
【００１２】  本発明は、携帯電話等の物品を収納して携行するホルダーケースにおいて、該ケースの正面部１の内面壁適宜所に端部を取付けるとともに、他端部に蓋部２を取付けたスライド帯１３を、背面部６の内面壁に備えられたにガイド体１４に挿通し、引出し自在に構成されたものであるから、蓋部を開いて引けば、収められている物品はスライド帯１３に持上げられて自然と収納部から姿をあらわすこととなる。
また、収める時は、収納部に押込めるだけで良く、その都度手袋を脱がなくともケースに収納したり、或いは収納物品を取出して使用することができる。この事は手袋を常時使用して作業をする職業の人々や寒冷地の人々にとってその効果は大きいものがある。また、背面部外方に袋部を設けるとともに、該袋部に、少なくとも上下の一方端部が着脱自在なバンドを設けているので、該ケースをベルトに通して使用でき、且つその着脱も容易であるばかりでなく、袋部にはメモや切符、携帯電話の場合はループ紐等の小片物を入れておけるので使い勝手が良い。
【図面の簡単な説明】
【図１】本発明を携帯電話用に実施した正面部及び側面部の説明図である。
【図２】背面部の説明図である。
【図３】蓋部を開いたときの説明図である。
【図４】図３から蓋部を引き出した状態を説明する図である。
【図５】ケースの収納部内を一部断面で示す説明図である。
【符号の説明】
１正面部    ２蓋部    ３側面部    ４収納部    ５スナップ    ６背面部
７バンド    ８袋部    ９スナップ    １０吊輪    １１，１２面ファスナー
１３スライド帯    １４ガイド
【図１】
2005199010.tif 000003
【図２】
2005199010.tif 000004
【図３】
2005199010.tif 000005
【図４】
2005199010.tif 000006
【図５】
2005199010.tif 000007